(57)【要約】【課題】簡易な構造で捕捉したごみを水路の下流側に流出させることができるバースクリーン装置を提供すること。【解決手段】水路Ｓ１から分岐する取水路Ｓ２の取水口に配設されるバースクリーン装置において、バースクリーンを水路水流の上流側バースクリーン１と下流側バースクリーン２とに分割するとともに、上流側バースクリーン１と下流側バースクリーン２とを枢着し、枢着部３が水路Ｓ１側に突出するように揺動可能に支持するようにする。【選択図】図１
2009068244.tif 000002
【特許請求の範囲】
【請求項１】
水路から分岐する取水路の取水口に配設されるバースクリーン装置において、バースクリーンを水路水流の上流側バースクリーンと下流側バースクリーンとに分割するとともに、該上流側バースクリーンと下流側バースクリーンとを枢着し、該枢着部が水路側に突出するように揺動可能に支持せしめたことを特徴とするバースクリーン装置。
【請求項２】
上流側バースクリーンの上部に、水の流入を阻止する閉塞板を設けたことを特徴とする請求項１記載のバースクリーン装置。
【発明の詳細な説明】
【技術分野】
【０００１】
本発明は河川等の水路から分岐する取水路の取水口に設置されるバースクリーン装置に関し、特に、簡易な構造で捕捉したごみを水路の下流側に流出させることができるバースクリーン装置に関するものである。
【背景技術】
【０００２】
一般に、河川等の水路から潅漑用水や上水用水等を取水する場合には、取水路にごみが流入しないように取水口にスクリーン装置が設置される。
【０００３】
このようなスクリーン装置の一つとして、特許文献１に開示されるように、スクリーンによりごみの流入を阻止するとともに、スクリーンで捕捉したごみを水路の下流側に流出させるようにしたディスク型スクリーン装置がある。
【０００４】
このディスク型スクリーン装置は、円板を定ピッチで回転軸に串装してなる多重回転円板式スクリーンを、各スクリーンの円板間隙間に隣接するスクリーンの円板が互いに挿入するようにして並設するとともに、各スクリーンを回転方向が水路の水流方向となるように回転駆動するようにしている。
【０００５】
しかしながら、このディスク型スクリーン装置は、捕捉したごみを下流側に流出させるという優れた性能を持つものの、多数の部品を必要とする上、構造が複雑で組み立て精度も要求され、コストもかかるという問題を有している。
【特許文献１】特開平８−１５１６２２号公報
【発明の開示】
【発明が解決しようとする課題】
【０００６】
本発明は、上記従来のバースクリーン装置が有する問題点に鑑み、簡易な構造で捕捉したごみを水路の下流側に流出させることができるバースクリーン装置を提供することを目的とする。
【課題を解決するための手段】
【０００７】
上記目的を達成するため、本発明のバースクリーン装置は、水路から分岐する取水路の取水口に配設されるバースクリーン装置において、バースクリーンを水路水流の上流側バースクリーンと下流側バースクリーンとに分割するとともに、該上流側バースクリーンと下流側バースクリーンとを枢着し、該枢着部が水路側に突出するように揺動可能に支持せしめたことを特徴とする。
【０００８】
この場合において、上流側バースクリーンの上部に、水の流入を阻止する閉塞板を設けることができる。
【発明の効果】
【０００９】
本発明のバースクリーン装置によれば、水路から分岐する取水路の取水口に配設されるバースクリーン装置において、バースクリーンを水路水流の上流側バースクリーンと下流側バースクリーンとに分割するとともに、該上流側バースクリーンと下流側バースクリーンとを枢着し、該枢着部が水路側に突出するように揺動可能に支持することから、バースクリーンをその枢着部が突出するように揺動させることにより、簡易な構造にもかかわらず、バースクリーンで捕捉したごみを水路の下流側に流出させることができる。
【００１０】
また、上流側バースクリーンの上部に、水の流入を阻止する閉塞板を設けることにより、バースクリーンが常時配置時には上流側バースクリーンで浮遊物を捕捉しないようにするとともに、揺動時に閉塞板でスクリーン付近の流速を増し、下流側バースクリーンのごみを流れやすくすることができる。
【発明を実施するための最良の形態】
【００１１】
以下、本発明のバースクリーン装置の実施の形態を、図面に基づいて説明する。
【実施例１】
【００１２】
図１に、本発明のバースクリーン装置の一実施例を示す。
このバースクリーン装置は、水路Ｓ１から分岐する取水路Ｓ２の取水口に配設されるものであり、バースクリーンを水路水流の上流側バースクリーン１と下流側バースクリーン２とに分割するとともに、該上流側バースクリーン１と下流側バースクリーン２とを枢着し、該枢着部３が水路Ｓ１側に突出するように揺動可能に支持するようにしている。
【００１３】
上流側バースクリーン１は、例えば、下流側バースクリーン２の１／３〜１／４程度の長さに設けられており、上流側の端部が取水口に枢着されるとともに、下流側の端部が下流側バースクリーン２に回動可能に連結されている。
また、上流側バースクリーン１の上部には、水の流入を阻止する閉塞板４が設けられており、取水は、上流側バースクリーン１の下部と下流側バースクリーン２にて行うようにしている。
閉塞板４は、図１（ａ）に示すように、バースクリーンが常時配置時には上流側バースクリーン１で浮遊物５を捕捉しないようにするとともに、図１（ｂ）に示すように、揺動時には水路水流を受けることによってスクリーン付近の流速を増し、下流側バースクリーン２のごみを流れやすくしている。
【００１４】
下流側バースクリーン２は、全面が通水性のスクリーンとして構成されており、上流側の端部が上流側バースクリーン１に回動可能に連結されるとともに、下流側の端部が取水口にスライド可能に支持されている。
なお、この下流側バースクリーン２と上流側バースクリーン１の通水部分は、水平方向のバーによって構成されており、ごみが引っ掛かりにくくなっている。
【００１５】
これら上流側バースクリーン１と下流側バースクリーン２は、例えば、上流側バースクリーン１をモータ等により駆動することにより、水路水流に平行な状態から、枢着部３が水路Ｓ１側に一定距離だけ突出するように水平面上を揺動し、またこの揺動を繰り返すことができる。
このように、バースクリーンの枢着部３が水路Ｓ１側に突出することにより、水路側に斜めに張り出す上流側バースクリーン１が水路水流を受け、スクリーン付近の流速を増大させるとともに、下流側バースクリーン２が水路水流の裏側に位置することになって取水水流が弱まり、下流側バースクリーン２に捕捉されているごみが流出しやすくなる。
【００１６】
かくして、本実施例のバースクリーン装置は、水路Ｓ１から分岐する取水路Ｓ２の取水口に配設されるバースクリーン装置において、バースクリーンを水路水流の上流側バースクリーン１と下流側バースクリーン２とに分割するとともに、該上流側バースクリーン１と下流側バースクリーン２とを枢着し、該枢着部３が水路Ｓ１側に突出するように揺動可能に支持することから、バースクリーンをその枢着部３が突出するように揺動させることにより、簡易な構造にもかかわらず、バースクリーンで捕捉したごみを水路Ｓ１の下流側に流出させることができる。
また、上流側バースクリーン１の上部に、水の流入を阻止する閉塞板４を設けることにより、バースクリーンが常時配置時には上流側バースクリーン１で浮遊物５を捕捉しないようにするとともに、揺動時に閉塞板４でスクリーン付近の流速を増し、下流側バースクリーン２のごみを流れやすくすることができる。
【００１７】
以上、本発明のバースクリーン装置について、その実施例に基づいて説明したが、本発明は上記実施例に記載した構成に限定されるものではなく、その趣旨を逸脱しない範囲において適宜その構成を変更することができる。
【産業上の利用可能性】
【００１８】
本発明のバースクリーン装置は、簡易な構造で捕捉したごみを水路の下流側に流出させるという特性を有していることから、簡便で低コストなスクリーン装置として広く好適に用いることができる。
【図面の簡単な説明】
【００１９】
【図１】本発明のバースクリーン装置の一実施例を示し、（ａ）は常時配置時の平面図、（ｂ）は揺動時の平面図、（ｃ）は常時配置時の正面図である。
【符号の説明】
【００２０】
１    上流側バースクリーン
２    下流側バースクリーン
３    枢着部
４    閉塞板
５    浮遊物
Ｓ１  水路
Ｓ２  取水路
【図１】
2009068244.tif 000003